(57)【特許請求の範囲】
【請求項１】
筐体の表面を形成するよう装備され筐体内部から外部に光を透過可能な照光部と、この照光部に筐体内部から光を照光する当該筐体内部に搭載された発光部と、を備え、
前記発光部は、赤色・緑色・青色の各光を発光可能なＲＧＢ  ＬＥＤ（Light Emitting Diode）を複数備えており、所定の前記ＲＧＢ  ＬＥＤから前記照光部に照光される光の一部が他の前記ＲＧＢ  ＬＥＤから前記照光部に照光される光の一部と当該照光部に入射する前に重なるよう、前記各ＲＧＢ  ＬＥＤを、照光面に対して斜めに傾けると共に、当該ＲＧＢ  ＬＥＤの照光方向を隣に配置された他のＲＧＢ  ＬＥＤ側に傾けて配置し、さらに、前記ＲＧＢ  ＬＥＤから出力された光が、前記筐体内部に形成された遮蔽物の背後に回り込んで当該遮蔽物の背後側に位置する照光面まで照光されるよう、前記各ＲＧＢ  ＬＥＤを配置した、
携帯電話機。
【請求項２】
請求項１に記載の携帯電話機であって、
前記各ＲＧＢ  ＬＥＤから前記照光部に照光される光の約３分の１から約２分の１が重なるよう、前記各ＲＧＢ  ＬＥＤを配置した、
携帯電話機。
【請求項３】
請求項２に記載の携帯電話機であって、
一方の隣にのみ他の前記ＲＧＢ  ＬＥＤが位置する所定の前記ＲＧＢ  ＬＥＤから前記照光部に照光される光の約３分の１が、前記他のＲＧＢ  ＬＥＤから前記照光部に照光される光の一部と重なるよう、前記各ＲＧＢ  ＬＥＤを配置した、
携帯電話機。
【請求項４】
請求項１乃至３のいずれかに記載の携帯電話機であって、
前記各ＲＧＢ  ＬＥＤは、各色の光を発光するＬＥＤを任意の順番に並べて配置されている、
携帯電話機。
【請求項５】
請求項１乃至４のいずれかに記載の携帯電話機であって、
筐体内部に位置する所定の部材に近接して装備された前記照光部の一部に、前記筐体の内部側から前記ＲＧＢ  ＬＥＤからの光が照光可能なよう当該ＲＧＢ  ＬＥＤを配置した、
携帯電話機。
【発明の詳細な説明】
【技術分野】
【０００１】
本発明は、電子機器にかかり、特に、内部から外部に光を透過させる照光部を備えた電子機器に関する。
【背景技術】
【０００２】
電子機器の一部を光らせるための構造として、樹脂やガラス等の光透過性のある部材で形成され筐体の外表面に装備された照光部と、ＬＥＤ（Light Emitting Diode）などの発光手段とを、導光板を使って光学的に接続し、ＬＥＤからの光を照光部に透過させる照光構造を備えているものがある。このとき、照光部の照光面に対して、略法線方向から発光手段による光を当てるように構成することで、照光部や導光板へ光が入射する際に、反射によって光量の減衰を抑制することが行われている。また、発光手段としてのＬＥＤ自体に拡散レンズを備えたり、導光板や照光部の照光する面の形状に凹凸をつけることで、光を略規則的に反射させ、照光部全体を均一に光らせる、ということも行われている。
【０００３】
一方で、昨今の携帯電話機のような軽薄短小で省電力が要求される電子機器では、照光構造の配置面積や、発光手段の消費電力、発光手段の個数などによるコストの制約がある。また、カラーイルミネーション化するといった視覚的な機能の向上も要求されている。このため、このような制約や要求を満たす電子機器の開発が望まれている。
【先行技術文献】
【特許文献】
【０００４】
【特許文献１】特開２００７−３２８３０９号公報
【発明の概要】
【発明が解決しようとする課題】
【０００５】
ここで、上述したように照光構造に対する配置面積や消費電力、コストなどの制約という問題に関連する技術として、特許文献１に開示のものがある。この特許文献１に開示の技術では、バックライトの発光光源を光偏向プリズムシートに斜めから入射させることで、低消費電力化や実装コストの低減を図っている。
【０００６】
しかしながら、電子機器に対する上述した要求である、視覚的な機能向上を実現する課題については、依然として解決されていない。つまり、電子機器において、低コストで、ユーザにとって視覚的な機能性の向上を図ることができない、という問題がある。
【０００７】
このため、本発明の目的は、電子機器において低コストで視覚的な機能性のユーザ満足度の向上を図ることにある。
【課題を解決するための手段】
【０００８】
上記目的を達成すべく、本発明の一形態である電子機器は、
筐体の表面を形成するよう装備され筐体内部から外部に光を透過可能な照光部と、この照光部に筐体内部から光を照光する当該筐体内部に搭載された発光部と、を備える。
そして、上記発光部は、赤色・緑色・青色の各光を発光可能なＲＧＢ  ＬＥＤ（Light Emitting Diode）を複数備えており、所定の上記ＲＧＢ  ＬＥＤから上記照光部に照光される光の一部が他の上記ＲＧＢ  ＬＥＤから上記照光部に照光される光の一部と当該照光部に入射する前に重なるよう、上記各ＲＧＢ  ＬＥＤを配置した、
という構成を取る。
【発明の効果】
【０００９】
本発明は、以上のように構成されることにより、電子機器において低コストで視覚的な機能性の向上を図ることができる。
【図面の簡単な説明】
【００１０】
【図１】本発明の構成を説明するための図である。
【図２】本発明の構成を説明するための図である。
【図３】本発明との比較例を示す図である。
【図４】本発明との比較例を示す図である。
【図５】本発明の具体例の構成を示す図である。
【図６】本発明の具体例の構成を示す図である。
【発明を実施するための形態】
【００１１】
＜実施形態１＞
本発明の第１の実施形態を、図１乃至図６を参照して説明する。図１乃至図２は、本発明の電子機器の一部の構成を説明するための図であり、図３乃至図４は、本発明との比較例を示す図である。図５乃至図６は、本発明の電子機器の構成の具体例を示す図である。
【００１２】
本発明における電子機器は、例えば、携帯電話機であり、筐体の表面の一部に形成された照光部を光らせる構造を装備しており、かかる構造に特徴を有するものである。なお、本発明における電子機器は、携帯電話機に限定されず、いかなる電子機器であってもよい。
【００１３】
そして、本実施形態では、例えば、図５、図６に示すように、折り畳み式携帯電話機の一方の筐体の一端部に、当該端部に沿って一様に形成されたレンズ部３０が、内部から照光されて光る照光部となっている。このレンズ部３０には、筐体内部側にポリカーボネイトなどにて形成された導光板２０が光学的に接続している。そして、この導光板２０に、発光部である複数のＬＥＤ１０（Light Emitting Diode）から発光された光が図６の矢印に示すように入射することで、かかる光が導光板２０を透過してレンズ部３０に内側から入射し、当該レンズ部３０が筐体外側から見て光るよう構成されている。ここで、本実施形態におけるＬＥＤ１０は、赤色（Ｒ）・緑色（Ｇ）・青色（Ｂ）の各光を発光可能なＲＧＢ  ＬＥＤ（Light Emitting Diode）である。
【００１４】
そして、本実施形態では、上記ＬＥＤ１０の配置に特徴を有している。ここで、図１乃至図２を参照して、ＬＥＤ１０の配置と、当該ＬＥＤ１０から出力された光の照光状態を説明する。なお、図１乃至図２では、ＬＥＤ１０（１１，１２）からの光が入射されて光るレンズ部３０を図示していないが、導光板２０の上端面部分（符号２１や２２で示す面）にレンズ部３０が接続されるため、かかる部分の照光状態をレンズ部３０の照光状態として説明する。また、図１乃至図２で示す導光板２０の形状は、図５，６に図示したものと異なるが、いかなる形状であってもＬＥＤ１０（１１，１２）からの光の照光状態は同様であり、導光板２０が装備されていなくても以下に説明する照光状態となる。
【００１５】
図１に示すように、携帯電話機の一端部の一部では、一対のＲＧＢ  ＬＥＤ１１，１２が、導光板２０側つまりレンズ部３０側を向いて配置されている。特に、図３の符号２０ａに示す導光板２０の上端面側が筐体の表面側となり、レンズ部３０の照光面が位置することとなるが、本実施形態におけるＲＧＢ  ＬＥＤ１１，１２は、図３に示すように照光面（２０ａ）に対して垂直方向に発光する光を入射するのではなく、図１に示すように、照光面（２０ａ）に対して斜めに発光した光が入射するよう、ＲＧＢ  ＬＥＤ１１，１２は図３の場合と比較にして斜めに傾いて配置されている。
【００１６】
上述した構成により、図１の符号２１に示すように、１つのＲＧＢ  ＬＥＤ１２によって照光される照光面の面積が、図３の場合と比較して広くなる。そして、図１の左端に図示するように、筐体内部に形成されたネジ用のボスなどの遮蔽物５０が、導光板２０つまりレンズ部３０に近接して配置されている場合であっても、当該遮蔽物５０の背後までＲＧＢ  ＬＥＤ１２から出力された光が回り込むこととなる。つまり、遮蔽物５０の背後側に位置するレンズ部３０の照光面まで照光することができ、わずかなＲＧＢ  ＬＥＤ１２でレンズ部３０を広範囲に照光することができる。
【００１７】
なお、図３，４に、本発明との比較例を示す。図３は、照光面（２０ａ）に対して垂直方向に発光する光を入射するようＲＧＢ  ＬＥＤ１１，１２を配置しており、この場合には、遮蔽物５０の存在や照光範囲が狭いことにより、ＲＧＢ  ＬＥＤ１１，１２からの光が照光されない照光不可範囲２３，２４が生じることとなる。また、図４に示すように、ＲＧＢ  ＬＥＤ１１，１２の位置を照光面から離間させて配置した場合であっても、依然として遮蔽物５０の存在により照光不可範囲が生じることとなる。
【００１８】
これに対して、本発明では、上述したようにＲＧＢ  ＬＥＤ１１，１２による光の照光方向を、照光面に対して略垂直方向ではなく斜め方向となるよう配置することにより、当該ＲＧＢ  ＬＥＤ１１，１２の照光範囲を広げることができ、遮蔽物５０が近接するレンズ部３０箇所も照光することができる。その結果、少ない数のＲＧＢ  ＬＥＤ１１，１２により、レンズ部３０を一様に照光することができ、低コストにて、ユーザによる視覚効果の向上を図ることができ、商品力の向上を図ることができる。また、照光板２０とＲＧＢ  ＬＥＤ１１，１２との間隔が狭くてもよいため、省スペース化を図ることができ、携帯電話機自体の小型化を図ることができる。
【００１９】
そしてさらに、本実施形態では、ＲＧＢ  ＬＥＤ１１，１２は、それぞれが照光する光の一部が相互に重なるよう配置されている。例えば、図２の符号２２に示すように、ＲＧＢ  ＬＥＤ１１，１２からそれぞれ照光される光の約３分の１から約２分の１が重なるよう、当該ＲＧＢ  ＬＥＤ１１，１２の向きを設定して配置されている。これにより、ＲＧＢ  ＬＥＤ１１，１２からは、重ねられていない単色の光と、重ねられた混色の光と、が照光面に照光されることとなるため、レンズ部３０からは、ＬＥＤ１１，１２が発色可能な赤（Ｒ）・緑（Ｇ）・青（Ｂ）の色の数より多くの色のグラデーションの光を発することが可能となる。
【００２０】
なお、上述したＲＧＢ  ＬＥＤ１１，１２は、相互に片方の隣にしか他のＲＧＢ  ＬＥＤが配置されていないため、かかる場合には、約ＲＧＢ  ＬＥＤ１１，１２から照光される光の約３分の１が重なるよう、当該ＲＧＢ  ＬＥＤ１１，１２の向きを設定して配置するとよい。
【００２１】
さらに、図示していないが、所定のＲＧＢ  ＬＥＤの両隣に、それぞれ他のＲＧＢ  ＬＥＤが配置されている場合には、所定のＲＧＢ  ＬＥＤから照光された光の約２分の１が、他のＲＧＢ  ＬＥＤから照光された各光の一部と重なるよう、各ＲＧＢ  ＬＥＤを配置するとよい。これにより、例えば、７色のグラデーションの光を作ることが可能となり、ＬＥＤ自体の搭載数を抑制しつつ、効率的に多くの色を発光することができる。このとき、各ＲＧＢ  ＬＥＤとして、各色（赤（Ｒ）・緑（Ｇ）・青（Ｂ））の配置の順番を任意に並べたものを用いても、例えば、「ＧＲＢ」の順番で配列させたＬＥＤを用いてもよい。
【００２２】
以上にように、本発明によると、携帯電話機などの電子機器において、少ない数のＬＥＤで、多くの色のグラデーションの光を発光させることができ、低コストで視覚的な機能性を向上させ、ユーザの満足度の高い製品を製造することができる。
【００２３】
＜付記＞
上記実施形態の一部又は全部は、以下の付記のようにも記載されうる。以下、本発明における電子機器の構成の概略を説明する。但し、本発明は、以下の構成に限定されない。
【００２４】
（付記１）
筐体の表面を形成するよう装備され筐体内部から外部に光を透過可能な照光部と、この照光部に筐体内部から光を照光する当該筐体内部に搭載された発光部と、を備え、
前記発光部は、赤色・緑色・青色の各光を発光可能なＲＧＢ  ＬＥＤ（Light Emitting Diode）を複数備えており、所定の前記ＲＧＢ  ＬＥＤから前記照光部に照光される光の一部が他の前記ＲＧＢ  ＬＥＤから前記照光部に照光される光の一部と当該照光部に入射する前に重なるよう、前記各ＲＧＢ  ＬＥＤを配置した、
電子機器。
【００２５】
（付記２）
付記１に記載の電子機器であって、
前記各ＲＧＢ  ＬＥＤから前記照光部に照光される光の約３分の１から約２分の１が重なるよう、前記各ＲＧＢ  ＬＥＤを配置した、
電子機器。
【００２６】
（付記３）
付記２に記載の電子機器であって、
一方の隣にのみ他の前記ＲＧＢ  ＬＥＤが位置する所定の前記ＲＧＢ  ＬＥＤから前記照光部に照光される光の約３分の１が、前記他のＲＧＢ  ＬＥＤから前記照光部に照光される光の一部と重なるよう、前記各ＲＧＢ  ＬＥＤを配置した、
電子機器。
【００２７】
（付記４）
付記２に記載の電子機器であって、
両隣に他の前記ＲＧＢ  ＬＥＤがそれぞれ位置する所定の前記ＲＧＢ  ＬＥＤから前記照光部に照光された光の約２分の１が、当該所定のＲＧＢ  ＬＥＤの両隣に位置する各前記他のＲＧＢ  ＬＥＤからそれぞれ前記照光部に照光された各光の一部と重なるよう、前記各ＲＧＢ  ＬＥＤを配置した、
電子機器。
【００２８】
（付記５）
付記１乃至４のいずれかに記載の電子機器であって、
前記各ＲＧＢ  ＬＥＤは、各色の光を発光するＬＥＤを任意の順番に並べて配置可能である、
電子機器。
【００２９】
（付記６）
付記１乃至５のいずれかに記載の電子機器であって、
筐体内部に位置する所定の部材に近接して装備された前記照光部の一部に、前記筐体の内部側から前記ＲＧＢ  ＬＥＤからの光が照光可能なよう当該ＲＧＢ  ＬＥＤを配置した、
電子機器。
【００３０】
（付記７）
筐体の表面を形成するよう装備され筐体内部から外部に光を透過可能な照光部と、この照光部に筐体内部から光を照光する当該筐体内部に搭載された発光部と、を備え、
前記発光部は、赤色・緑色・青色の各光を発光可能なＲＧＢ  ＬＥＤ（Light Emitting Diode）を複数備えており、所定の前記ＲＧＢ  ＬＥＤから前記照光部に照光される光の一部が他の前記ＲＧＢ  ＬＥＤから前記照光部に照光される光の一部と当該照光部に入射する前に重なるよう、前記各ＲＧＢ  ＬＥＤを配置した、
携帯電話機。
【００３１】
（付記８）
付記７に記載の携帯電話機であって、
前記各ＲＧＢ  ＬＥＤから前記照光部に照光される光の約３分の１から約２分の１が重なるよう、前記各ＲＧＢ  ＬＥＤを配置した、
携帯電話機。
【符号の説明】
【００３２】
１０，１１，１２  ＲＧＢ  ＬＥＤ
２０  照光板
２０ａ  照光面
３０  レンズ部
５０  遮蔽物
【図１】
0005950320.tif 000002
【図２】
0005950320.tif 000003
【図３】
0005950320.tif 000004
【図４】
0005950320.tif 000005
【図５】
0005950320.tif 000006
【図６】
0005950320.tif 000007